(57)【要約】【課題】メインマイコンの電源オフ時においても、外部コントローラとサブマイコンとの間でシリアル通信を可能とする。【解決手段】機器の動作を制御するメインマイコン３と、機器の電源を制御するサブマイコン４とを備え、メインマイコン３に接続されている外部接続端子１６に通信ケーブル８０を介して外部コントローラ２０が接続されることで、外部コントローラ２０と当該機器との間でシリアル通信が可能な電子機器であって、サブマイコン４も外部接続端子１６に接続し、当該機器の電源オフ時の低消費電力モードにおいて、サブマイコン４と外部コントローラ２０との間でシリアル通信を可能とする。すなわち、サブマイコン４は、低消費電力モードにおいて外部コントローラ２０から電源オン信号を受信すると、メインマイコン３への電力供給を開始して当該機器を電源オン状態とする。【選択図】図１
2009081757.tif 000002
【特許請求の範囲】
【請求項１】
機器の動作を制御するメインマイコンと、機器の電源を制御するサブマイコンとを備え、前記メインマイコンに接続されている外部接続端子に通信ケーブルを介して外部コントローラが接続されることで、前記外部コントローラと当該機器との間でシリアル通信が可能な電子機器において、
前記サブマイコンが前記外部接続端子に接続されており、当該機器の電源オフ時の低消費電力モードにおいて、前記サブマイコンと前記外部コントローラとの間でシリアル通信を可能としたことを特徴とする電子機器。
【請求項２】
請求項１に記載の電子機器において、
前記サブマイコンは、前記低消費電力モードにおいて前記外部コントローラから電源オン信号を受信すると、前記メインマイコンへの電力供給を開始して当該機器を電源オン状態とすることを特徴とする電子機器。
【請求項３】
請求項１または請求項２に記載の電子機器において、
前記外部接続端子がＲＳ２３２Ｃ端子またはＨＤＭＩ端子であり、前記通信ケーブルがＲＳ２３２Ｃ通信ケーブルまたはＨＤＭＩ通信ケーブルであることを特徴とする電子機器。
【発明の詳細な説明】
【技術分野】
【０００１】
本発明は、機器の動作を制御するメインマイコンと、機器の電源を制御するサブマイコンとを備え、前記メインマイコンに接続されている外部接続端子に通信ケーブルを介して外部コントローラが接続されることで、前記外部コントローラと当該機器との間でシリアル通信が可能な電子機器に係り、特に、当該電子機器の電源オフ時の低消費電力モードでの外部コントローラとの通信技術に関する。
【背景技術】
【０００２】
従来から、機器の動作を制御するメインマイコンと、機器の電源を制御するサブマイコンとを備えた例えばＤＶＤプレーヤ等の電子機器では、メインマイコンへの電力供給を遮断し、サブマイコンへの電力供給のみを行っている電源オフ時の低消費電力モードにおいて、リモコンから電源オン信号が送信されてくると、この信号をリモコン受信部で受信してサブマイコンに入力し、サブマイコンは、この電源オン信号に基づいてメインマイコンへの電力供給を開始することで、機器を低消費電力モードから動作モードに移行するように構成されているものがある（例えば、特許文献１参照）。
【０００３】
このような電子機器では、メインマイコンへの電力供給を遮断し、サブマイコンのみに電力供給を行っている低消費電力モードにおいて、サブマイコンは、リモコンからの赤外線信号の受信が可能な構成となっている。
【０００４】
一方、ＤＶＤプレーヤ等の電子機器の操作では、上記したように赤外線通信（無線）によるリモコンを使用するが、アンプやＴＶ等の電子機器も含めたＡＶシステムを構築する場合、それぞれの機器をそれぞれのリモコンで操作するのではなく、例えばＲＳ２３２Ｃ通信ケーブルで繋いで１つのコントローラ（外部コントローラ）で操作するようなシステムを構築する場合がある。
【特許文献１】特開２０００−２０７８１４号公報
【発明の開示】
【発明が解決しようとする課題】
【０００５】
このようなシステムでは、外部コントローラと各機器とが通信ケーブルで接続されていることから、外部コントローラからの信号は、この通信ケーブルを介してメインマイコンで受信することになる。そのため、外部コントローラからの電源オン、オフ信号（特に、低消費電力モードでの電源オン信号）に対応するためには、低消費電力モードであってもメインマイコンへの電力供給を遮断することができず、サブマイコンにのみ電力供給を行う従来の場合に比べて電源オフ時の消費電力が高くなってしまうといった問題があった。
【０００６】
本発明はかかる問題点を解決すべく創案されたもので、その目的は、メインマイコンの電源オフ時においても、外部コントローラと当該機器との間でシリアル通信が可能な電子機器を提供することにある。
【課題を解決するための手段】
【０００７】
上記課題を解決するため、本発明の電子機器は、機器の動作を制御するメインマイコンと、機器の電源を制御するサブマイコンとを備え、前記メインマイコンに接続されている外部接続端子に通信ケーブルを介して外部コントローラが接続されることで、前記外部コントローラと当該機器との間でシリアル通信が可能な電子機器において、前記サブマイコンが前記外部接続端子に接続されており、当該機器の電源オフ時の低消費電力モードにおいて、前記サブマイコンと前記外部コントローラとの間でシリアル通信を可能としたことを特徴としている。
【０００８】
より具体的には、前記サブマイコンは、前記低消費電力モードにおいて前記外部コントローラから電源オン信号を受信すると、前記メインマイコンへの電力供給を開始して当該機器を電源オン状態とする。
【０００９】
ここで、前記外部接続端子は、ＲＳ２３２Ｃ（Recommended Standard 232 version C）端子またはＨＤＭＩ（High-Definition Multimedia Interface）端子であり、前記通信ケーブルは、ＲＳ２３２Ｃ通信ケーブルまたはＨＤＭＩ通信ケーブルである。
【００１０】
このように、本発明では、サブマイコンを外部接続端子に接続して、ＲＳ２３２Ｃシリアル通信またはＨＤＭＩ規格のＣＥＣ制御によるシリアル通信をサブマイコンでもできるようにしている。これにより、メインマイコンへの電力供給を遮断した低消費電力モードにおいて、外部コントローラからの電源オン信号をサブマイコンで受信し、メインマイコンへの電力供給を開始することができるので、外部コントローラと通信ケーブルを介して接続されたシステムを構築した場合においても、従来と同様、メインマイコンへの電力供給を遮断した低消費電力モードを実行することが可能となる。
【発明の効果】
【００１１】
本発明によれば、メインマイコンへの電力供給を遮断した状態の電源オフ時の低消費電力モードにおいても、サブマイコンによって外部コントローラとの間でＲＳ２３２Ｃ通信やＣＥＣ制御によるシリアル通信を行うことができる。これにより、外部コントローラと通信ケーブルを介して接続されたシステムを構築した場合においても、従来と同様、メインマイコンへの電力供給を遮断した低消費電力モードに移行させることができるため、消費電力の低減、すなわち省エネを実現することができる。
【発明を実施するための最良の形態】
【００１２】
以下、本発明の実施の形態について、図面を参照して説明する。
【００１３】
図１は、本発明の電子機器をＤＶＤレコーダに適用した場合の構成を示すブロック図である。
【００１４】
ＤＶＤレコーダ１は、放送局から発信されるテレビ放送信号を受信して、テレビ放送信号により配信される映像や音声などの情報を光ディスク２に記録し、また、光ディスク２に記録された映像や音声などの情報を不図示のディスプレイ及びスピーカにて再生する装置である。
【００１５】
このＤＶＤレコーダ１は、ＤＶＤレコーダ１を制御するためのメインマイコン３及びサブマイコン４と、ＤＶＤレコーダ１を動作させるための電力を生成する電源回路５と、ＤＶＤレコーダ１を起動するためのパワースイッチ（電源スイッチ）６と、第１のレギュレータ７と、第２のレギュレータ８と、ＤＤＲＳＤＲＡＭ９と、チューナ１０と、ＡＶ信号処理部１１と、リモコン１２と、リモコン受信部１３と、ＦＬ表示管１４と、ＤＶＤローダ１５と、通信ケーブル８０を介して外部コントローラ２０と接続するための外部接続端子１６とを備えている。
【００１６】
メインマイコン３、第１のレギュレータ７、第２のレギュレータ８、及びＤＤＲＳＤＲＡＭ９は、メイン基板３０に配置されており、サブマイコン４、電源回路５、パワースイッチ６、チューナ１０、ＡＶ信号処理部１１、リモコン受信部１３、及びＦＬ表示管１４は、ＡＶ基板４０に配置されている。ＤＤＲＳＤＲＡＭ９、及びＤＶＤローダ１５は、メインマイコン３により制御される周辺装置であり、チューナ１０、ＡＶ信号処理部１１、及びＦＬ表示管１４は、サブマイコン４により制御される周辺装置である。また、第１のレギュレータ７、及び第２のレギュレータ８は、メインマイコン３を動作させるための周辺装置であり、パワースイッチ６、リモコン１２、及びリモコン受信部１３は、サブマイコン４を動作させるための周辺装置である。また、メインマイコン３とサブマイコン４は、シリアル通信によって相互通信可能に接続されている。
【００１７】
電源回路５は、ＡＣコンセント５ａを商用ＡＣ電源５０に接続することにより商用ＡＣ電源５０からＡＣ電力が供給され、そのＡＣ電力を基にＤＶＤレコーダ１を動作させるための電力を生成する。電源回路５は、５本の電源供給ライン５１〜５５を有しており、商用ＡＣ電源５０から供給される電力を基に３．３ｖ電力、２．５ｖ電力、１．５ｖ電力、１．２ｖ電力、及び待機電力を生成し、３．３ｖ電力を電源供給ライン５１により供給し、２．５ｖ電力を電源供給ライン５２により供給し、１．５ｖ電力を電源供給ライン５３により供給し、１．２ｖ電力を電源供給ライン５４により供給し、待機電力を電源供給ライン５５により供給する。
【００１８】
電源回路５の電源供給ライン５１には、電源制御スイッチ６１が設けられ、電源供給ライン５２には、電源制御スイッチ６２が設けられ、電源供給ライン５３には、電源制御スイッチ６３が設けられ、電源供給ライン５４には、電源制御スイッチ６４が設けられている。サブマイコン４は、電源制御スイッチ６１〜６４をオン／オフするための「ＲＥＧ＿ＣＴＲＬ１」「ＲＥＧ＿ＣＴＲＬ２」「ＰＷＳＷ」の３つの電源制御端子４１，４２，４３を有しており、電源制御スイッチ６１は、サブマイコン４の電源制御端子「ＲＥＧ＿ＣＴＲＬ１」４１に接続され、電源制御スイッチ６２及び６３は、サブマイコン４の電源制御端子「ＲＥＧ＿ＣＴＲＬ２」４２に接続され、電源制御スイッチ６４は、サブマイコン４の電源制御端子「ＰＷＳＷ」４３に接続されている。
【００１９】
パワースイッチ６は、ＤＶＤレコーダ１を起動するためにユーザによりオン／オフ操作される。パワースイッチ６がオン／オフ操作されると、そのオン／オフ信号がサブマイコン４に入力される。
【００２０】
第１のレギュレータ７は、メインマイコン３に供給する電力の電圧を安定化する。メインマイコン３及び第１のレギュレータ７は、電源制御スイッチ６１を介して、電源回路５の電源供給ライン５１に接続されている。第２のレギュレータ８は、ＤＤＲＳＤＲＡＭ９に供給する電力の電圧を安定化する。第２のレギュレータ８及びＤＤＲＳＤＲＡＭ９は、電源制御スイッチ６２を介して、電源回路５の電源供給ライン５２に接続されている。
【００２１】
チューナ１０は、サブマイコン４による制御のもと、放送局から配信されるテレビ放送信号を受信する。ＡＶ信号処理部１１は、サブマイコン４による制御のもと、チューナ１０で受信したテレビ放送信号に含まれる映像・音声信号及びＤＶＤローダ１５から再生された映像・音声信号を処理する。チューナ１０及びＡＶ信号処理部１１は、電源制御スイッチ６４を介して、電源回路５の電源供給ライン５４に接続されている。
【００２２】
リモコン１２は、テレビ放送信号の受信チャンネルの選択、テレビ放送信号により配信される映像・音声信号の光ディスク２への記録、光ディスク２に記録されている映像・音声信号の再生等、ＤＶＤレコーダ１の各種動作を指示するためにユーザにより操作される。リモコン１２は、ＤＶＤレコーダ１の各種動作を指示するためにユーザに操作される各種操作キーを備えており、各種操作キーが操作されることにより、その操作に対応付けられた赤外線信号を送出する。なお、リモコン１２にも、ＤＶＤレコーダ１を起動するための（すなわち上記パワースイッチ６と同様の役割を担う）パワースイッチ（不図示）が備えられている。リモコン１２は、リモコン１２に内蔵の電池の電力により動作する。
【００２３】
リモコン受信部１３は、リモコン１２から送出される赤外線信号を受信して電気信号に変換し、リモコン１２の操作に対応する信号をサブマイコン４へ出力する。ＦＬ表示管１４は、サブマイコン４による制御のもと、日付や時刻、テレビ放送信号の受信チャンネル、録画動作中である旨などを表示する。
【００２４】
サブマイコン４、リモコン受信部１３、及びＦＬ表示管１４は、電源回路５の電源供給ライン５５に接続されており、パワースイッチ６がオフ状態のときも、電源供給ライン５５を介して待機電力が供給されて動作するようになっている。すなわち、パワースイッチ６がオフ状態のとき、メインマイコン３、第１のレギュレータ７、第２のレギュレータ８、ＤＤＲＳＤＲＡＭ９、チューナ１０、ＡＶ信号処理部１１、及びＤＶＤローダ１５への電力供給を遮断し、サブマイコン４、リモコン受信部１３、及びＦＬ表示管１４のみに電力を供給する低消費電力モード（いわゆる、待機モード）に移行するようになっている。
【００２５】
ＤＶＤローダ１５は、メインマイコン３による制御のもと、光ディスク２に情報を記録し、また、光ディスク２に記録されている情報を読み取って再生する。ＤＶＤローダ１５は、電源制御スイッチ６３を介して、電源回路５の電源供給ライン５３に接続されている。
【００２６】
電源制御スイッチ６１は、サブマイコン４の電源制御端子４１の電圧レベルがハイレベルのときにオンして、電源回路５により生成された３．３ｖの電力をメインマイコン３及び第１のレギュレータ７に供給し、ローレベルのときにオフして、メインマイコン３及び第１のレギュレータ７への電力供給を遮断する。
【００２７】
電源制御スイッチ６２は、サブマイコン４の電源制御端子４２の電圧レベルがハイレベルのときにオンして、電源回路５により生成された２．５ｖの電力を第２のレギュレータ８及びＤＤＲＳＤＲＡＭ９に供給し、ローレベルのときにオフして、第２のレギュレータ８及びＤＤＲＳＤＲＡＭ９への電力供給を遮断する。
【００２８】
電源制御スイッチ６３は、サブマイコン４の電源制御端子４２の電圧レベルがハイレベルのときにオンして、電源回路５により生成された１．５ｖの電力をＤＶＤローダ１５に供給し、ローレベルのときにオフして、ＤＶＤローダ１５への電力供給を遮断する。
【００２９】
電源制御スイッチ６４は、サブマイコン４の電源制御端子４３の電圧レベルがハイレベルのときにオンして、電源回路５により生成された１．２ｖの電力をチューナ１０及びＡＶ信号処理部１１に供給し、ローレベルのときにオフして、チューナ１０及びＡＶ信号処理部１１への電力供給を遮断する。
【００３０】
メインマイコン３とサブマイコン４は、相互に通信して、ＤＶＤレコーダ１の動作を制御する。また、サブマイコン４は、パワースイッチ６やリモコン１２のパワースイッチ（不図示）のオン／オフ操作を受けて、ＤＶＤレコーダ１を動作させるための電力の供給を制御する。
【００３１】
サブマイコン４は、パワースイッチ６またはリモコン１２のパワースイッチ（不図示）がオン操作されると、電源制御端子４１〜４３の電圧レベルをハイレベルにして、電源制御スイッチ６１〜６４をオンにする。これにより、電源回路５からメインマイコン３、第１のレギュレータ７、第２のレギュレータ８、ＤＤＲＳＤＲＡＭ９、チューナ１０、ＡＶ信号処理部１１、及びＤＶＤローダ１５に電力が供給される。また、サブマイコン４は、パワースイッチ６またはリモコン１２のパワースイッチ（不図示）がオフ操作されると、電源制御端子４１〜４３の電圧レベルをローレベルにして、電源制御スイッチ６１〜６４をオフにする。これにより、電源回路５からメインマイコン３、第１のレギュレータ７、第２のレギュレータ８、ＤＤＲＳＤＲＡＭ９、チューナ１０、ＡＶ信号処理部１１、及びＤＶＤローダ１５への電力供給が遮断される。すなわち、サブマイコン４、リモコン受信部１３、ＦＬ表示管１４のみに電力を供給する低消費電力モードに移行する。
【００３２】
すなわち、パワースイッチ６またはリモコン１２のパワースイッチ（不図示）をオン／オフ操作することにより、ＤＶＤレコーダ１を動作させるための電力を供給／遮断する指示（すなわちＤＶＤレコーダ１を起動／動作停止させる指示）がサブマイコン４に与えられ、サブマイコン４は、その指示を受けて、メインマイコン３、第１のレギュレータ７、第２のレギュレータ８、ＤＤＲＳＤＲＡＭ９、チューナ１０、ＡＶ信号処理部１１、及びＤＶＤローダ１５への電力の供給／遮断を制御する。このとき、サブマイコン４は、パワースイッチ６またはリモコン１２のパワースイッチ（不図示）のオン／オフ操作を受けて、電源制御端子４１〜４３を個別のタイミングでハイレベル／ローレベルにすることにより、電源制御スイッチ６１〜６４を個別のタイミングでオン／オフし、これにより、メインマイコン３、第１のレギュレータ７、第２のレギュレータ８、ＤＤＲＳＤＲＡＭ９、チューナ１０、ＡＶ信号処理部１１、及びＤＶＤローダ１５に対して、個別のタイミングで電力を供給／遮断する。
【００３３】
なお、パワースイッチのオン／オフ操作時にサブマイコン４の電源制御端子４１〜４３をハイレベル／ローレベルにするタイミングを示す電源制御データは、サブマイコン４のマスクＲＯＭ（不図示）に予め記憶されている。
【００３４】
上記構成において、本実施形態では、サブマイコン４も外部接続端子１６に接続されており、通信ケーブル８０を介して外部コントローラ２０とシリアル通信可能に設けられている。ここで、外部接続端子１６は、本実施形態では、ＲＳ２３２Ｃ端子またはＨＤＭＩ端子であり、通信ケーブル８０は、これに対応したＲＳ２３２Ｃ通信ケーブルまたはＨＤＭＩ通信ケーブルである。
【００３５】
このように、本実施形態では、サブマイコン４も外部接続端子１６に接続して、ＲＳ２３２Ｃシリアル通信またはＨＤＭＩ規格のＣＥＣ制御によるシリアル通信をサブマイコン４でも行えるようにしている。これにより、メインマイコン３等への電力供給を遮断し、サブマイコン４への電力供給を行っている低消費電力モードにおいて、外部コントローラ２０からの電源オン信号をサブマイコン４で受信し、メインマイコン３等への電力供給を開始することができる。
【００３６】
すなわち、本ＤＶＤレコーダ１の低消費電力モード時、外部コントローラ２０のパワースイッチ（不図示）をオン／オフ操作することにより、ＤＶＤレコーダ１を動作させるための電力を供給／遮断する指示（すなわちＤＶＤレコーダ１を起動／動作停止させる指示）が、通信ケーブル８０及び外部接続端子１６を介してサブマイコン４に与えられる。サブマイコン４は、その指示を受けて、メインマイコン３、第１のレギュレータ７、第２のレギュレータ８、ＤＤＲＳＤＲＡＭ９、チューナ１０、ＡＶ信号処理部１１、及びＤＶＤローダ１５への電力の供給／遮断を制御する。このとき、サブマイコン４は、外部コントローラ２０のパワースイッチ（不図示）のオン／オフ操作を受けて、マスクＲＯＭ（不図示）に記憶されている電源制御データに基づき、電源制御端子４１〜４３を個別のタイミングでハイレベル／ローレベルにすることにより、電源制御スイッチ６１〜６４を個別のタイミングでオン／オフし、これにより、メインマイコン３、第１のレギュレータ７、第２のレギュレータ８、ＤＤＲＳＤＲＡＭ９、チューナ１０、ＡＶ信号処理部１１、及びＤＶＤローダ１５に対して、個別のタイミングで電力を供給／遮断する。
【００３７】
このように、本実施形態のＤＶＤレコーダ１によれば、外部コントローラ２０と通信ケーブル８０を介して接続されたシステムを構築した場合においても、ＤＶＤレコーダ１単独で使用する場合と同様、メインマイコン３への電力供給を遮断した低消費電力モードに移行させることが可能となる。
【００３８】
因みに、従来のＤＶＤレコーダでは、サブマイコンが外部接続端子に接続されていないため、外部コントローラ２０と通信ケーブル８０を介して接続されたシステムを構築した場合、低消費電力モードに移行させる場合でも、メインマイコンへの電力供給を遮断することができない。すなわち、電源供給ライン５１を介して３．３ｖ電力をメインマイコン３に常に供給しておく必要がある。そのため、電源供給ライン５５から待機電力をサブマイコンに供給する従来の低消費電力モードに比べて消費電力が高くなるが、本実施形態では、このメインマイコンへの電力供給を遮断できるので、外部コントローラ２０と通信ケーブル８０を介して接続されたシステムを構築した場合においても、消費電力の低減、すなわち省エネを実現することができる。
【図面の簡単な説明】
【００３９】
【図１】本発明の電子機器をＤＶＤレコーダに適用した場合の構成を示すブロック図である。
【符号の説明】
【００４０】
１  ＤＶＤレコーダ
２  ＤＶＤ
３  メインマイコン
４  サブマイコン
５  電源回路
５ａ  ＡＣコンセント
６  パワースイッチ
７  第１のレギュレータ
８  第２のレギュレータ
９  ＤＤＲＳＤＲＡＭ
１０  チューナ
１１  ＡＶ信号処理部
１２  リモコン
１３  リモコン受信部
１４  ＦＬ表示管
１５  ＤＶＤローダ
１６  外部接続端子
２０  コントローラ（外部コントローラ）
３０  メイン基板
４０  ＡＶ基板
４１〜４３  電源制御端子
５０  商用電源
５１〜５５  電源供給ライン
６１〜６４  電源制御スイッチ
８０  通信ケーブル
【図１】
2009081757.tif 000003